(57)【要約】【課題】  未知の無線端末からアクセスポイント（ＡＰ）に接続要求があったことを、ＡＰから離れた場所にいるＡＰの管理者に対して即座に通知するＡＰを提供する。【解決手段】  識別符号を受信する通信部と、接続を許可する識別符号を記憶する設定記憶部と、通知を発信する通知部と、前記通信部が受信した識別符号と、前記設定記憶部が記憶する識別符号とを含む所定の条件に従って、前記通知部に対し前記発信を指示する信号を出力する制御部とを備えることを特徴とするアクセスポイントを提供する。【選択図】      図1
2016092777.tif 000002
【特許請求の範囲】
【請求項１】
識別符号を受信する通信部と、
接続を許可する識別符号を記憶する設定記憶部と、
通知を発信する通知部と、
前記無線通信部が受信した識別符号と、前記設定記憶部が記憶する識別符号とを含む所定の条件に従って、前記通知部に対し前記発信を指示する信号を出力する制御部とを備えていることを特徴とするアクセスポイント。
【請求項２】
前記通信部が受信する識別符号は端末が発信し、前記通信部が受信した識別符号と、前記設定記憶部が記憶する識別符号とが一致すれば前記端末と接続し、不一致であれば前記端末と接続しないことを特徴とする、請求項１に記載のアクセスポイント。
【請求項３】
前記所定の条件は、前記通信部が受信した識別符号と、前記設定記憶部が記憶する識別符号が不一致であることを特徴とする、請求項１または請求項２のいずれかに記載のアクセスポイント。
【請求項４】
前記通知は、通信ネットワーク経由の電子メールで行う通知、端末のランプを点灯させる信号、または電話の自動音声発信による通知の何れか一つ以上であることを特徴とする、請求項１乃至請求項３のいずれかに記載のアクセスポイント。
【請求項５】
前記通信部は無線通信部であることを特徴とする、請求項１乃至請求項４に記載のアクセスポイント。
【請求項６】
請求項１乃至請求項５のいずれかの請求項に記載されたアクセスポイントと、前記通知を受信する端末とを備えることを特徴とする通信システム。
【請求項７】
受信した識別符号と、記憶する識別符号とを含む所定の条件が満足される場合に通知を発信することを特徴とするアクセスポイントの制御方法。
【請求項８】
前記識別符号は端末が発信し、前記受信した識別符号と、前記記憶する識別符号とが一致すれば前記端末と接続し、不一致であれば前記端末と接続しないことを特徴とする、請求項７に記載のアクセスポイントの制御方法。
【請求項９】
請求項７または請求項８のいずれかに記載の制御方法を前記アクセスポイントに実行させる前記アクセスポイントが読み取り可能なプログラム。
【請求項１０】
請求項６に記載の前記通信システムにおいて、前記端末は前記通知を受信すると前記端末のランプを点灯させる、前記端末が読み取り可能なプログラム。
【発明の詳細な説明】
【技術分野】
【０００１】
本発明は、アクセスポイント、アクセスポイント制御方法、通信システム、アクセスポイント用プログラム、および端末用プログラムに関するものである。
【背景技術】
【０００２】
無線アクセスポイント（以下ＡＰ）と無線端末（以下端末）の無線接続において、端末がＡＰに接続要求を行うと、ＡＰはその端末の接続を許可するか否かを判断する必要がある。
【０００３】
特許文献１では、IEEE（The Institute of Electrical and Electronics Engineers, Inc.）が定める無線規格IEEE802.11を用いた無線LAN（Local Area Network）における、ＡＰと端末の接続方法が示されている。この特許文献１には、ＡＰはＡＰ自身が記憶する接続可能なMACアドレス（Media Access Control address）と、端末が発する接続要求情報に含まれるMACアドレスの一致不一致を判断することにより、接続可否を決定することが示されている。
【０００４】
一方、特許文献２では、Bluetooth（登録商標）を用いたＡＰ機能をもつキャッシュレジスタと、端末の接続について示している。
【０００５】
すなわち、端末が自身の識別子を含む接続要求をＡＰに送信し、ＡＰは端末から接続要求を受信する。ＡＰは、受信した接続要求に含まれる識別子を、自身の保有する接続拒否リストにある識別子と比較して合致すれば接続を拒否し、合致しなければ接続する。ここで、ＡＰが接続を拒否した場合、ＡＰであるキャッシュレジスタは、自身の表示装置に不正端末から接続要求があったことを表示する。
【先行技術文献】
【特許文献】
【０００６】
【特許文献１】特開2007-306312号公報
【特許文献２】特開2006-121726号公報
【発明の概要】
【発明が解決しようとする課題】
【０００７】
特許文献１に示される方法は、ＡＰに未知の端末から接続要求があった場合、ＡＰは接続を拒否するだけであり、ＡＰの管理者が未知の端末からの接続要求があったことを知る手段については示されていない。
【０００８】
また、特許文献２に示される方法は、ＡＰが拒否すべき端末の接続要求を受信した場合、ＡＰは接続を拒否したことをＡＰの表示装置に表示するので、ＡＰの管理者は未知の端末から接続要求があったことを知ることが出来る。
【０００９】
しかし、キャッシュレジスタではなく家庭用や業務用無線LANのＡＰのように、ＡＰの管理者が常時ＡＰのそばにいるとは限らないＡＰの場合は、未知の端末から接続要求があったことを、即座にＡＰの管理者が知ることは出来ない。ＡＰに対する未知の端末からの接続要求は不正アクセスの恐れがあるが、特許文献１および特許文献２に示される方法では、管理者は不正アクセスを認知することが遅れて早期の対応が行えない。
【００１０】
本発明の目的は、未知の端末からＡＰに接続要求があったことを、ＡＰから離れた場所にいるＡＰの管理者に対して、即座に通知するＡＰを提供することにある。
【課題を解決するための手段】
【００１１】
上記の目的を達成するために、本発明のアクセスポイントは、識別符号を受信する通信部と、接続を許可する識別符号を記憶する設定記憶部と、通知を発信する通知部と、前記通信部が受信した識別符号と、前記設定記憶部が記憶する識別符号とを含む所定の条件に従って、前記通知部に対し前記発信を指示する信号を出力する制御部とを備える。
【発明の効果】
【００１２】
本発明によれば、ＡＰはＡＰから離れた場所にいるＡＰの管理者に対して、未知の端末からＡＰに接続要求があったことを即座に通知することができる。
【図面の簡単な説明】
【００１３】
【図１】第1の実施形態の構成例を示す図である。
【図２】第1の実施形態の構成例を補足する図である。
【図３】第1の実施形態の動作を説明する図である。
【図４】第２の実施形態の構成例を示す図である。
【図５】第２の実施形態の動作を説明する図である。
【図６】第３の実施形態の構成例を示す図である。
【図７】第１の実施形態の説明を補足する図である。
【図８】第１の実施形態の説明を補足する図である。
【発明を実施するための形態】
【００１４】
［第１の実施形態］
次に、本発明の実施の形態について図面を参照して詳細に説明する。
［構成の説明］
図１に第１の実施形態の構成を示す。
【００１５】
ＡＰ１１は、前述の無線LANを通信方式とするＡＰである。ＡＰ１１は、例えば図７に示す様にデータベース機器１０１に組込んだり、図８に示す様にインターネット１７と接続するルータ１０２に組込んで使用することが出来る。
【００１６】
図１に戻り、端末１６はＡＰ１１に対して接続しようとする無線LAN端末である。
【００１７】
インターネット１７は、インターネットである。インターネット１７は、電子メールの送受信が行える、インターネット以外のネットワークであっても良い。
【００１８】
そして、ＡＰ１１は、無線通信部１２と、制御部１３と、設定記憶部１４およびメール送信部１５を備える。
【００１９】
ここで、無線通信部１２は端末１６と無線LAN方式で送受信を行うハードウェアである。また、制御部１３はＣＰＵ（Central Processing Unit；中央処理装置）であり、ＡＰ１１のハードウェアの制御とソフトウェア処理を行う。さらに、設定記憶部１４は、無線LAN接続を許可する端末のMACアドレスとユーザ設定情報を記憶するメモリであり、詳細は後述する。
【００２０】
メール送信部１５は、有線もしくは、LTE（Long Term Evolution）、第３世代移動通信システムなどの無線でインターネット１７に接続されているハードウェアである。そして、メール送信部１５は、制御部１３の命令を受けると、予め記憶するＡＰ１１の管理者のメールアドレスに対してメールを送信するソフトウェアを内部に有する。
【００２１】
次に、設定記憶部１４の構成について詳述する。
【００２２】
図２は、設定記憶部１４の記憶情報を示したものである。設定記憶部１４は、接続許可MACアドレス一覧２１と、ユーザ設定情報２２を有する。設定記憶部１４の記憶情報は、予め記憶されていても良いが、ＡＰ１１本体に操作盤などを有し、操作盤の操作によって情報の追加、削除が出来ても良いし、ＡＰ１１が端末１６と接続後に、端末１６の操作によって情報の追加、削除が出来ても良い。
【００２３】
そして、接続許可MACアドレス一覧２１は、ユーザが登録したＡＰ１１への接続を許可する端末１６のMACアドレスを管理するテーブルである。
【００２４】
また、ユーザ設定情報２２は、通知機能とメールアドレスの２つの設定項目から構成される。この通知機能は、ＡＰ１１がＡＰの管理者にメール通知する機能を有効／無効に設定する項目である。更に、メールアドレスは、メール通知する宛先を設定する項目である。
［動作の説明］
次に、本実施形態の動作について図３を参照して詳細に説明する。
【００２５】
初めに、ＡＰ１１の無線通信部１２が、端末１６から送信された接続要求信号（以下、接続要求）を受信する（Ｓ１０１）。ここで、ＡＰ１１が複数の端末と通信可能なＡＰである場合、ＡＰ１１は端末１６以外の端末と既に接続中であっても良い。
【００２６】
無線通信部１２は、ステップＳ１０１で受信した接続要求を制御部１３へ転送する（Ｓ１０２）。次いで、制御部１３はステップＳ１０２で得た接続要求の情報から端末１６のMACアドレスを取得する（Ｓ１０３）。ここで、MACアドレスとは前述の無線LAN規格に定めるもので、端末固有の識別子である。
【００２７】
そして、制御部１３は設定記憶部１４に記憶する接続許可MACアドレス一覧２１を参照する（Ｓ１０４）。次に、制御部１３は、ステップＳ１０３で取得した端末１６のMACアドレスがステップＳ１０４で参照した接続許可MACアドレス一覧２１に存在するか否かを判断する（Ｓ１０５）。
【００２８】
ステップＳ１０５において制御部１３は、端末１６のMACアドレスが接続許可MACアドレス一覧２１に存在すると判断すると（Ｓ１０５でYES）、ＡＰ１１は端末１６と接続し（Ｓ１０６）、ステップＳ１０１に戻る。
【００２９】
一方、ステップＳ１０５において制御部１３は、端末１６のMACアドレスが接続許可MACアドレス一覧２１に無いと判断すると（Ｓ１０５でNO）、ＡＰ１１は端末１６と接続せず、設定記憶部１４内のユーザ設定情報２２の通知機能を参照する（Ｓ１０７）。そして、制御部１３は、ステップＳ１０７で参照した通知機能の設定状況を判断する（Ｓ１０８）。
【００３０】
ステップＳ１０８で制御部１３が通知機能を無効と判断した場合は（Ｓ１０８でNO）、ステップＳ１０１に戻る。
【００３１】
一方、ステップＳ１０８で制御部１３が通知機能を有効と判断した場合は（Ｓ１０８でYES）、制御部１３は設定記憶部１４が保有するユーザ設定情報２２からメールアドレスを取得し、メール送信部１５に対しこのメールアドレスを転送する（Ｓ１０９）。そして、メール送信部１５は、ステップＳ１０９で制御部１３から転送されたメールアドレスに対し、未知の端末からの接続要求があった旨のメールを送信し（Ｓ１１０）、ステップＳ１０１に戻る。
【００３２】
尚、ステップＳ１１０でメール送信部１５が送信するメールの内容は、未知の端末がＡＰ１１に対して接続要求があったことを通知するだけでなく、未知の端末の接続要求時刻、MACアドレスなどを同時に通知しても良い。
【００３３】
このようにして、本実施形態におけるＡＰ１１は、ＡＰ１１から離れた場所にいるＡＰ１１の管理者に対して、未知の端末からＡＰ１１に対して接続要求があったことを即座に通知することができる。
［第２の実施形態］
次に、第２の実施の形態について図面を参照して詳細に説明する。
［構成の説明］
第２の実施形態の構成を図４に示す。
【００３４】
第１の実施形態の構成との違いは、制御部１３が回数nを計数するカウンタ３１と、時間ｔを計時する計時機能３２を有することである。さらに、制御部１３は予め所定の回数Ｎと、所定の時間Ｔの情報を保有するものとする。このＮおよびＴの情報は、制御部１３が保有せず、設定記憶部１４がユーザ設定情報２２に記憶し、制御部１３が必要に応じて参照することでも良い。
［動作の説明］
次に、第２の実施形態の動作について図５を参照して説明する。
【００３５】
初めに、制御部１３はカウンタ３１をｎ＝０に設定する（Ｓ２０１）。
【００３６】
次に、ＡＰ１１の無線通信部１２が、端末１６から送信された接続要求を受信する（Ｓ２０２）。ここで、ＡＰ１１が複数の端末と通信可能なＡＰである場合、端末１６以外の端末と既に接続中であっても良い。
【００３７】
そして制御部１３はカウンタ３１を参照しｎの値がゼロであるかを判断する（Ｓ２０３）。ステップＳ２０３で、ｎ＝０であれば（Ｓ２０３でYES）、制御部１３は計時機能３２にｔ＝０を設定する（Ｓ２０４）。ステップ２０３でｎ＝０でなければ（Ｓ２０３でNO）ステップＳ２０５へ進む。
【００３８】
そして、無線通信部１２は、ステップＳ２０２で受信した接続要求を制御部１３へ転送する（Ｓ２０５）。次いで、制御部１３はステップＳ２０５で得た接続要求の情報から端末１６のMACアドレスを取得する（Ｓ２０６）。
【００３９】
続いて、制御部１３は設定記憶部１４に記憶する接続許可MACアドレス一覧２１を参照する（Ｓ２０７）。次いで、制御部１３はステップＳ２０６で取得した端末１６のMACアドレスがステップＳ２０７で参照した接続許可MACアドレス一覧２１に存在するか否かを判断する（Ｓ２０８）。
【００４０】
ステップＳ２０８において制御部１３は、端末１６のMACアドレスが接続許可MACアドレス一覧２１に存在すると判断すると（Ｓ２０８でYES）、ＡＰ１１は端末１６と接続し（Ｓ２０９）、ステップＳ２０１に戻る。
【００４１】
一方、ステップ２０８において制御部１３は、端末１６のMACアドレスが接続許可MACアドレス一覧２１に無いと判断すると（Ｓ２０８でNO）、制御部１３は設定記憶部１４内のユーザ設定情報２２の通知機能を参照する（Ｓ２１０）。そして、制御部１３は、ステップＳ２１０で参照した通知機能の設定状況を判断する（Ｓ２１１）。
【００４２】
ステップＳ２１１で制御部１３が通知機能を無効と判断した場合は（Ｓ２１１でNO）、ステップＳ２０１に戻る。
【００４３】
一方、ステップＳ２１１で制御部１３が通知機能を有効と判断した場合は（Ｓ２１１でYES）、制御部１３は計時機能３２のｔが予め制御部１３が保有する所定の時間Ｔ以上であるかどうかを判断する（Ｓ２１２）。ステップＳ２１２でｔ≧Ｔであった場合は（Ｓ２１２でYES）、ステップＳ２０１に戻る。
【００４４】
また、ステップＳ２１２でｔ≧Ｔでない場合は（Ｓ２１２でNO）、制御部１３はカウンタ３１のｎに１を加える（Ｓ２１３）。続いて制御部１３はカウンタｎの値が予め制御部が保有する所定の回数Ｎ未満であるかどうかを判断する（Ｓ２１４）。ステップＳ２１４でｎ＜Ｎであった場合は（Ｓ２１４でYES）、ステップＳ２０２に戻る。
【００４５】
ステップＳ２１４でｎ＜Ｎでない場合は（Ｓ２１４でNO）、制御部１３は設定記憶部１４が保有するユーザ設定情報２２からメールアドレスを取得し、メール送信部１５に対しこのメールアドレスを転送する（Ｓ２１５）。そして、メール送信部１５は、ステップＳ２１５で制御部１３から転送されたメールアドレスに対し、未知の端末からの接続要求があった旨のメールを送信し（Ｓ２１６）、ステップＳ２０１に戻る。
【００４６】
第１の実施形態では、ＡＰは未知の端末からの接続要求があると、ＡＰの管理者に対して直ちに通知をする。しかし、第２の実施形態ではＡＰは未知の端末から所定時間Ｔの間に所定の回数Ｎの接続要求があった場合にだけ、ＡＰの管理者に対して通知する。
【００４７】
不正アクセスは、短時間に繰り返される傾向がある。従って、第２の実施形態のＡＰは、悪意が無い端末による偶然の接続要求については管理者へ通知を行わず、不正アクセスが疑われる端末の接続要求についてだけ通知を行うことが出来る。
【００４８】
このことにより、第２の実施形態のＡＰは、不正アクセスに対する安全性を維持しつつ、不正アクセスが疑われる接続要求に絞ってＡＰ管理者に通知するので、第１の実施形態のＡＰと比べて、ＡＰ管理者が確認する負担を軽減できる。
［第３の実施形態］
次に、第３の実施形態について図６を参照して説明する。
【００４９】
本実施形態におけるアクセスポイント４１は、識別符号を受信する通信部４２と、接続を許可する識別符号を記憶する設定記憶部４４と、通知を発信する通知部４５とを備える。さらにアクセスポイント４１は、前記通信部４２が受信した識別符号と、前記設定記憶部４４が記憶する識別符号とを含む所定の条件に従って、前記通知部４５に対し前記発信を指示する信号を出力する制御部４３とを備える。
【００５０】
このようにして、本実施形態におけるアクセスポイント４１は、アクセスポイント４１から離れた場所にいるアクセスポイント４１の管理者に対して、未知の端末からアクセスポイント４１に対して接続要求があったことを即座に通知することができる。
【００５１】
以上、本発明の好適な実施形態を説明したが、上記実施形態に限定されるものではなく、次のように拡張または変形できる。
【００５２】
本発明の第１の実施形態の無線通信部に代えて有線通信部とすることで、無線アクセスポイントを有線アクセスポイントに置き換え、無線端末を有線端末に置き換えて、アクセスポイントと端末の間を有線LANでの接続としても良い。この場合、有線端末からアクセスポイントへの接続要求は、アクセスポイントのLANコネクタと有線端末とをLANケーブルで繋いで行われる。
【００５３】
また、本発明の第１の実施形態では、ＡＰが未知の端末から接続要求を受信すると、メールでＡＰ管理者に通知する。しかし、メールの代わりにＡＰ管理者が保有するスマートフォンや携帯電話などの端末のLED（light emitting diode；発光ダイオード）を点灯させることで通知する方法も考えられる。例えば、ＡＰが特定の信号を管理者の所有する端末にインターネット経由で送信し、管理者の所有端末が特定の信号を受信すると端末のLEDが点灯する様なソフトウェアを、管理者端末にインストールしておくなどである。このようにしても、ＡＰは、ＡＰから離れた場所にいるＡＰの管理者に対して、未知の端末からＡＰに対して接続要求があったことを即座に通知することができる。
【００５４】
或いは、ＡＰはメールの代わりに電話の自動音声発信により、ＡＰの管理者に通知することでも、ＡＰは、ＡＰから離れた場所にいるＡＰの管理者に対して、未知の端末からＡＰに対して接続要求があったことを即座に通知することができる。
【００５５】
また、本発明の第1の実施形態では、端末１６から受信した識別符号と、設定記憶部１４の接続許可MACアドレス一覧２１に記憶する識別符号とが不一致の場合に、ＡＰ１１はＡＰ１１の管理者にメール通知することを示した。しかし、端末１６から受信した識別符号と、設定記憶部１４の接続許可MACアドレス一覧２１に記憶する識別符号とが一致した場合に、ＡＰ１１はＡＰ１１の管理者にメール通知する変形形態も考えられる。即ち、既知の特定の端末からのアクセスがあった時にＡＰ１１は即座にＡＰ１１の管理者に通知することにより、ＡＰ１１は特定の端末の所有者の来訪を、ＡＰ１１の管理者に通知することが可能になるなどである。
【００５６】
以上示した例では、制御部１３は端末１６から受信した識別符号と、設定記憶部１４の接続許可MACアドレス一覧２１に記憶する識別符号との一致／不一致を判断した。しかし、一致不一致以外でも、識別符号を用いて予め決めた任意の条件に基づいて判断することとしても良い。
【００５７】
更に、本発明の第1の実施形態では、制御部１３は端末１６から受信した識別符号が、設定記憶部１４に記憶するMACアドレス一覧２１の識別符号と、完全に一致するか否かを判断しているが、識別符号の一部一致を判断条件とすることも可能である。例えば、端末１６から受信した識別符号と、設定記憶部１４に記憶するMACアドレス一覧２１の識別符号上位一定桁が一致する端末について、制御部１３はこの端末群を全て接続許可と判断するなどである。
【００５８】
また、第２の実施形態において、ＡＰがＡＰの管理者に対してメール通知する条件は、未知の端末からＡＰ１１に対して所定時間Ｔの間に所定回数Ｎ回の接続要求があった時としている。このメール通知の条件を、次のように変形しても良い。即ち未知の「同一」端末から所定回数以上「連続して」接続要求があった場合に、通知するようにする。
【００５９】
不正アクセスは、悪意を持った特定の端末から繰り返される傾向があると考えられる。このように第２の実施形態のＡＰがＡＰ管理者に通知する条件より、更に条件を絞る事により、不正アクセスが疑われる接続要求に絞ってＡＰ管理者に通知するので、第２の実施形態のＡＰと比べて、ＡＰ管理者が確認する負担を軽減できる。
【００６０】
上記の実施形態の一部又は全部は、以下の付記のようにも記載されうるが、以下には限られない。
【００６１】
（付記１）
識別符号を受信する通信部と、
接続を許可する識別符号を記憶する設定記憶部と、
通知を発信する通知部と、
前記無線通信部が受信した識別符号と、前記設定記憶部が記憶する識別符号とを含む所定の条件に従って、前記通知部に対し前記発信を指示する信号を出力する制御部とを備えていることを特徴とするアクセスポイント。
【００６２】
（付記２）
前記通信部が受信する識別符号は端末が発信し、前記通信部が受信した識別符号と、前記設定記憶部が記憶する識別符号とが一致すれば前記端末と接続し、不一致であれば前記端末と接続しないことを特徴とする、付記１に記載のアクセスポイント。
【００６３】
（付記３）
前記所定の条件は、前記通信部が受信した識別符号と、前記設定記憶部が記憶する識別符号が不一致であることを特徴とする、付記１または付記２のいずれかに記載のアクセスポイント。
【００６４】
（付記４）
前記所定の条件は、前記通信部が、前記設定記憶部に記憶していない識別符号を、所定回数以上受信することであることを特徴とする、付記１または付記２のいずれかに記載のアクセスポイント。
【００６５】
（付記５）
前記所定の条件は、前記通信部が、前記設定記憶部に記憶していない識別符号を、所定時間内に所定回数以上受信することであることを特徴とする、付記１または付記２のいずれかに記載のアクセスポイント。
【００６６】
（付記６）
前記所定の条件は、前記通信部が、前記設定記憶部に記憶していない識別符号を、所定回数以上連続して受信することであることを特徴とする、付記１または付記２のいずれかに記載のアクセスポイント。
【００６７】
（付記７）
前記所定の条件は、前記通信部が、前記設定記憶部に記憶していない識別符号を、所定時間内に所定回数以上連続して受信することであることを特徴とする、付記１または付記２のいずれかに記載のアクセスポイント。
【００６８】
（付記８）
前記通知は、通信ネットワーク経由の電子メールで行う通知、端末のランプを点灯させる信号、または電話の自動音声発信による通知の何れか一つ以上であることを特徴とする、付記１乃至付記７のいずれかに記載のアクセスポイント。
【００６９】
（付記９）
前記通信部は無線通信部であることを特徴とする、付記１乃至付記８に記載のアクセスポイント。
【００７０】
（付記１０）
付記１乃至付記９のいずれかの付記に記載されたアクセスポイントと、前記通知を受信する端末とを備えることを特徴とする通信システム。
【００７１】
（付記１１）
受信した識別符号と、記憶する識別符号とを含む所定の条件が満足される場合に通知を発信することを特徴とするアクセスポイントの制御方法。
【００７２】
（付記１２）
前記識別符号は端末が発信し、前記受信した識別符号と、前記記憶する識別符号とが一致すれば前記端末と接続し、不一致であれば前記端末と接続しないことを特徴とする、付記１１に記載のアクセスポイントの制御方法。
【００７３】
（付記１３）
前記所定の条件は、前記受信した識別符号と、前記記憶する識別符号が不一致であることを特徴とする、付記１１または付記１２のいずれかに記載のアクセスポイントの制御方法。
【００７４】
（付記１４）
前記所定の条件は、記憶していない識別符号を、所定回数以上受信することであることを特徴とする、付記１１または付記１２のいずれかに記載のアクセスポイントの制御方法。
【００７５】
（付記１５）
前記所定の条件は、記憶していない識別符号を、所定時間内に所定回数以上受信することであることを特徴とする、付記１１または付記１２のいずれかに記載のアクセスポイントの制御方法。
【００７６】
（付記１６）
前記所定の条件は、記憶していない識別符号を、所定回数以上連続して受信することであることを特徴とする、付記１１または付記１２のいずれかに記載のアクセスポイントの制御方法。
【００７７】
（付記１７）
前記所定の条件は、記憶していない識別符号を、所定時間内に所定回数以上連続して受信することであることを特徴とする、付記１１または付記１２のいずれかに記載のアクセスポイントの制御方法。
【００７８】
（付記１８）
前記通知は、通信ネットワーク経由の電子メールで行う通知、または端末のランプを点灯させる信号、または電話の自動音声発信による通知の何れか一つ以上であることを特徴とする、付記１１乃至付記１７のいずれかに記載のアクセスポイントの制御方法。
【００７９】
（付記１９）
付記１１乃至付記１８のいずれかに記載の制御方法を前記アクセスポイントに実行させる前記アクセスポイントが読み取り可能なプログラム。
【００８０】
（付記２０）
付記１０に記載の前記通信システムにおいて、前記端末は前記通知を受信すると前記端末のランプを点灯させる、前記端末が読み取り可能なプログラム。
【符号の説明】
【００８１】
１１  無線アクセスポイント（ＡＰ）
１２  無線通信部
１３  制御部
１４  設定記憶部
１５  メール送信部
１６  無線端末（端末）
１７  インターネット
２１  接続許可MACアドレス一覧
２２  ユーザ設定情報
３１  カウンタ
３２  計時機能
４１  アクセスポイント
４２  通信部
４３  制御部
４４  設定記憶部
４５  通知部
１０１  データベース機器
１０２  ルータ
【図１】
2016092777.tif 000003
【図２】
2016092777.tif 000004
【図３】
2016092777.tif 000005
【図４】
2016092777.tif 000006
【図５】
2016092777.tif 000007
【図６】
2016092777.tif 000008
【図７】
2016092777.tif 000009
【図８】
2016092777.tif 000010